(57)【要約】【課題】  従来のシート材は衣類として用いる場合、着方が限られ、シート材の折り畳み方や辺同士の止着の仕方も複雑で使いづらかった。【解決手段】  本発明の多用途シートは、シートに身体の一部を差込み可能な開口部を二以上設け、シートの外周縁の二箇所以上に連結具を設け、その連結具は同一シートの他の連結具と、又は他のシート或いは他の部材の連結具と連結、離脱可能とし、それら連結具の連結によりシートの変形、二以上のシートの連結、シートと他の部材との連結を可能として、敷物、衣類、寝具、仕切り、遊具等々に使用できるようにした。シート内に気体を注入して膨らますことができるようにした。【選択図】図１
2008237715.tif 000002
【特許請求の範囲】
【請求項１】
シートに身体の一部を差込み可能な開口部が二以上設けられ、シートの外周縁の二箇所以上に連結具が設けられ、それら連結具は同一シートの他の連結具と、又は他のシート或いは他の部材の連結具と連結・離脱可能であり、それら連結具の連結によりシートの変形、二以上のシートの連結、シートと他の部材との連結が可能であることを特徴とする多用途シート。
【請求項２】
請求項１記載の多用途シートにおいて、シートが定型性のある材質製であるか、又は変形自在な軟質材製であるか、又は定型性のある材質と軟質材との組み合わせであることを特徴とする多用途シート。
【請求項３】
請求項１又は請求項２記載の多用途シートにおいて、シートは立体状に変形可能であり、シートの内側又は外側にシートを立体状に保持可能な形状保持具が備えられたことを特徴とする多用途シート。
【請求項４】
請求項１又は請求項２記載の多用途シートにおいて、シートが気体を注入して膨らますことのできる気体充填空間を備え、開口部は気体充填空間内の気体の漏出を防止する閉塞具で密閉可能であり、シートは膨らんだ状態で立体状に変形可能であると共に変形状態で保持可能であり、変形状態で連結具によって他のシートと連結可能でもあることを特徴とする多用途シート。
【請求項５】
請求項１又は請求項２記載の多用途シートにおいて、シートの開口部外周に気体を注入すると膨らむ気体充填空間が設けられ、開口部はシートが膨らんだ状態で開口状態であり、シートは膨らんだ状態で立体状に変形可能であると共に変形状態で保持可能であり、変形状態で連結具によって他のシートと連結可能でもあることを特徴とする多用途シート。
【発明の詳細な説明】
【技術分野】
【０００１】
本発明は、一枚のシートを変形させたり、二枚以上のシートを連結してサイズを大きくしたり変形させたり、シートに他の部材を連結して取付けたりして、シートを敷物、衣類、寝具、遊具、インテリア等々の様々な用途に使用可能であり、内部に気体を入れて、又は入れることなく立体形状にして使用することも可能な多用途シートに関するものである。
【背景技術】
【０００２】
シートを折り畳んで寝袋やポンチョにしたり、広げてシート状にしたりすることのできる上衣兼用寝袋や（特許文献１記載）、前記用途の他に、シートに補強材を取付けてテント等にしたりすることのできる多用途ユニット（特許文献２記載）は従来からある。
【０００３】
【特許文献１】実開昭５８−１９５５７６号公報
【特許文献２】特開２００４−４１７１０号公報
【発明の開示】
【発明が解決しようとする課題】
【０００４】
前記上衣兼用寝袋や多用途ユニットには、次のような課題がある。
（１）衣類として着用する場合、着用のバリエーションが少なく、使用者の性別や身体のサイズに適合した着用ができない場合がある。
（２）上衣にするためのシートの折り畳み方法や、折り畳んだシートの連結方法等が複雑であって使いづらい。
（３）補強材の着脱に手間がかかる。
（４）避難用であるため遊具とか他の用途への利用に限度がある。
【課題を解決するための手段】
【０００５】
本件出願の多用途シートは、シートに身体の一部を差込み可能な開口部が二以上あり、シートの外周縁の二箇所以上に連結具があり、その連結具は同一シートの他の連結具と、又は他のシート或いは他の部材の連結具と連結、離脱可能であり、変形させたシートをそのシートの連結具で変形形状に保持することができ、二以上のシートの連結、シートと他の部材との連結が可能なものである。前記シートは定型性のある材質製、又は変形自在な軟質材製、又は定型性のある材質と軟質材との組み合わせとすることができる。シートを立体状に変形可能とし、シートの内側又は外側にシートを立体状に保持可能な形状保持具を設けることもできる。
【０００６】
本件出願の多用途シートは、シートに気体充填空間を設けて、それに気体を充填すると膨らんだシートになり、膨らんだ状態で立体状に変形させてその立体形状に保持することも、変形状態で他のシートや部材と連結することもできるようにしてある。この場合、開口部は閉塞具で密閉して気体充填空間内の気体の漏出を防止できるようにすることも、開口状態のままにしておくこともできる。
【発明の効果】
【０００７】
本発明の多用途シートは次のような効果がある。
（１）シートに身体の一部を差込み可能な開口部が二以上設けられているため、シートを被って開口部から頭や腕を出せば衣類として使用可能である。二以上の開口部のどこからでも頭、腕、脚等を突き出すことができるため、使用者の性別や身体のサイズ等に合わせて様々なバリエーションの着用が可能となる。
（２）シートの外周縁部分の二箇所以上に連結部材を設けたので、同一シートの二以上の連結部材同士を連結すればシートを変形させることができ、二以上のシートの連結具同士を連結すればシートのサイズや形状を変えることができ、シートの連結具に装飾品などの他の部材の連結具を連結すれば装飾品付きシートとすることもできるため、毛布や寝袋代用の寝具、カーペット代用の敷物、カーテン代用品、タペストリー等々をはじめとして各種用途に使用できる。
（３）構造が簡潔で、形状がシンプルであるため製作が容易で安価に提供できる。
（４）シートを定型性のある材質製とすれば所望形状に成形して遊具や運動具として使用することができ、変形自在の軟質材製とすれば形状を用途に合わせて自在に変化させることができ、定型性のある材質と軟質材の組合せにすれば立体的にしても平面的にしても使用可能となる。
（５）開口部の内側又は外側にポケットを取付けておけば、それに付属品や遊具等の各種物品を入れることができて便利である。
（６）シートを立体状に変形可能とし、シートの内側又は外側にシートを立体状に保持可能な形状保持具を設けたので、所望形状に変形させたシートをその変形形状に保持することができ、使用中も型崩れしない。
（７）シートの開口部を閉塞具で密閉して、シートの気体充填空間内に気体を充填するとシートが膨らむので、シートをトンネルのような筒状に変形させて立体遊具として使用することもできる。
（８）シートに気体を充填して膨らませたときにシートの開口部が開口されているので、立体状のシートの開口部から顔や身体の一部を突出させてあそぶこともできる。
【発明を実施するための最良の形態】
【０００８】
（実施形態１）
本発明の多用途シートの実施形態の一例を図１〜図６に基づいて説明する。図１の多用途シート１はシート２の任意箇所に開口部３が複数開口され、シート２の外周縁の二以上の箇所にファスナー、面テープ等の連結具４が設けられたものである。
【０００９】
シート２は長方形の布状であり、折り曲げ、折り畳み自在である。シート２の材料は用途に合わせて選択することができ、肌触りの良いタオル地、丈夫なデニム地、高級感のあるビロード地等の任意のものを用いることができる。シート２は布に限られず樹脂製、合成或いは天然の皮革製、メッシュ材といった任意の材質とすることもできる。シート２は透明、半透明、不透明のいずれであってもよい。シート２は伸縮性のある素材或いは無い素材とすることもできる。シート２の形状は長方形に限らず例えば三角形、正方形、五角形等の多角形や円形や楕円形、星型、ハート形等の任意の形状とすることができる。
【００１０】
開口部３は頭、腕、足、胴等、身体の一部を差込み可能なサイズの横長スリットである。開口部３は縦長スリットや十字型スリット等としたり、多角形、円形、楕円形等にしたりすることもでき、それらの組み合わせにすることもできる。開口部３は開口したままにしてあるが、ファスナー、面テープ、スナップボタン等の閉塞具で開閉可能としたり、シート２とは別の閉塞片を宛がって閉塞可能としたり、開口部３を透明のシートで閉塞して開閉式の窓にすることもできる。開口部３の外側又は内側にはポケットを取付けて小物類を収容できるようにしておくこともできる。開口部３の数や開口位置も図１に示すものに限られず、任意とすることができる。
【００１１】
図１では連結具４にファスナーが用いられている。この連結具４は図２、図３のように同一シート２に取り付けてある他の連結具４と連結させたり、図４、図５のように他の多用途シート１の連結具４と連結させたり、図６のように他の部材、例えば、カーテンフック取付けシート９の連結具４と連結させたりすることができる。連結具４はファスナー以外のもの、例えば、面テープ、ホック、スナップボタンといった任意の連結部材を用いることができる。図１の連結具４はシート２の外周縁部分の全周（四辺）に二本ずつ取り付けられているが、連結具４は必ずしもシート２の外周縁部分の全周に備える必要はなく、例えばシート２の外周縁の一辺以上の所望辺に取付けることができる。
【００１２】
（実施形態２）
本発明の多用途シート１は、図７に示すようにシート２をウレタンのような定型性のある材質製にし、三箇所に設けたヒンジ１０部分から折り曲げて立方体に変形可能とすることもできる。この場合、シート２は厚みを持たせて定形性が保持され易くしてある。図７の立方体は一面を開口させてある。図７の立方体を人が出入りできる大きさの遊具として使用する場合は、開口面を出入り口として使用することができる。
【００１３】
（実施形態３）
図８に示す多用途シート１は変形自在な軟質材製のシート２に、形状保持具５としてリング状の針金を複数本沿わせて、筒状の立体形状に保持可能としたものである。形状保持具５は表と裏の二枚のシート２の間に内蔵させることも、シート２の内面又は外面に露出させて取付けることもできる。形状保持具５には針金に限らず他の部材を用いることもできる。形状保持具５は線材に限らず、帯状、面状等であってもよい。形状保持具５は可撓性のある部材であっても無い部材であってもよい。形状保持具５はシート２に脱着可能とすることもできる。図８の筒状の多用途シートは内部空間に人が出入りできる程度の大きさにすることもでき、その場合は、シート２に設けた開口部３から顔を出したり、腕や脚を突き出したりすることができるようにしてある。
【００１４】
（実施形態４）
図９に示す多用途シート１はシート２を内層１１と外層１２の二層にしてその層間に気体充填空間６を設けたものである。この多用途シート１は図１０（ａ）に示すように気体充填空間６に気体を充填して膨らませて使用することも、それを図１０（ｂ）に示すように円弧状に変形させ、更に、図１１のように円筒状にしてシート２の両辺の連結具４同士を連結して、内側に空洞部１３のあるトンネル状の遊具にして使用することもできる。この場合はシート２の材料を気体バリア性のものにして気体充填空間内の気体が外部に漏れないようにすると共に開口部３を閉塞材７で閉塞して内部の気体が開口部３から漏出しないようにする。閉塞材７が透明或いは半透明の樹脂シートであれば気体充填空間６内から外を、又は外部から気体充填空間６内を覗くことができる。図９の多用途シート１の場合は、筒状にしてから気体を充填することも、充填後に筒状にすることもできる。また、本発明の多用途シート１は、図１２に示すように、内層１１と外層１２の二層に同形状の開口部３を形成し、二層の開口部周縁１４を貼り合わせて密閉して、両層間の気体充填空間６に空気を入れて膨らませたときに開口部３が開口状態に保持されるようにすることもできる。このようにすれば、その開口部３から顔や頭を出したり腕や脚を突き出したりすることができる。
【００１５】
（本発明の多用途シートの各種使用例）
本発明の多用途シートのおもな使用例を以下に説明する。
【００１６】
（敷物としての使用例）
図１〜図５に示す多用途シート１は、一枚又は二枚以上を組合せて屋内・外に敷く敷物として使用することができる。
【００１７】
（衣類としての使用例）
図１３（ａ）〜（ｅ）に示すように、一枚又は二枚以上組合せて任意形状に変形させて被ったり身体に巻き付けたりし、開口部３から頭や腕等を突き出してポンチョやマント等の各種衣類として使用することもできる。この場合、一枚のシートを二人以上が同時に使用することができる。
【００１８】
（寝具としての使用例）
単独で、又は図５のようにシートを二枚以上連結して毛布やタオルケットなどの代用としたり、図４のようにシートを二枚以上重ねて連結して寝袋として使用したりすることもできる。
【００１９】
（内装材としての使用例）
図６に示すようにシートに、カーテンフック８が多数取り付けられているカーテンフック取付けシート９を連結し、そのカーテンフック８を室内のカーテンレールに取付けてカーテンとして使用したり、室内仕切り用のレールに取り付けて仕切りとして使用したりすることができる。また、壁に取り付けてタペストリーの代用として使用することもできる。
【００２０】
（遊具としての使用例１）
図１３（ｆ）に示すように一枚又は二枚以上のシートを丸めれば、子供が引き摺ったり、持ち上げたりして遊ぶことのできる遊具として使用することもできる。また、袋状に変形させて、開口部３から出入り可能な遊具として使用したりすることもできる。
【００２１】
（遊具としての使用例２）
シート２をウレタン等の定型性のある材質製とした場合は図７に示すように、シート２のヒンジ１０で折り曲げて中空ブロック状にすれば、子供が上に乗ったり、空間内を通過したりして遊ぶことのできる遊具とすることができる。ヒンジ１０の位置や数を変えることにより他の立体形状に変形させることもできる。シート２に厚みがあるため形状が崩れず、ウレタン等の弾性材や緩衝材を使用すれば怪我もし難くなる。
【００２２】
（遊具としての使用例３）
図８に示すようにシート２を立体状にし、それを形状保持具５で形状保持してトンネル状にすれば、子供が内側空間を這って進んだり、内側空間からシート２に開口された円形の開口部３から出入りしたりする等して遊べるチューブ状の遊具として使用することができる。
【００２３】
（遊具としての使用例４）
図１０（ａ）に示すように気体充填空間６に気体を充填して膨らませれば浮き輪、ビーチボール、クッション等の遊具として使用することができ、図１１に示すように円筒状に成形して内側に空洞部１３を形成すれば、空洞部１３内で遊ぶことのできる遊具として使用可能である。
【００２４】
（その他の実施形態）
前記実施形態はあくまでも一例であって、本発明の多用途シートの形状、構造、変形方法、立体形状、用途等はそれらに限られるものではない。
【図面の簡単な説明】
【００２５】
【図１】本発明の多用途シートの実施形態の一例を示す平面図。
【図２】図１の多用途シートを左右に二つ折りした様子を示す平面説明図。
【図３】図１の多用途シートを上下に二つ折りした折り曲げた様子を示す平面説明図。
【図４】図１の多用途シートを二枚重ねる過程の斜視説明図。
【図５】図１の多用途シートを多数枚連結させた様子を示す平面図。
【図６】図１の多用途シートに横細長の他物品を連結させた様子を示す斜視図。
【図７】本発明の多用途シートを定形性のある素材で成形して角筒状に折り曲げた状態を示す斜視図。
【図８】本発明の変形可能な多用途シートを円筒状に変形させて形状保持具で形状を保持した状態の斜視図。
【図９】本発明の空気充填式多用途シートの一例を示す断面斜視図。
【図１０】（ａ）は、図９の多用途シートの気体充填空間に気体を充填させて膨らませた様子を示す斜視図、（ｂ）は（ａ）の多用途シートを半円筒状に丸めた様子を示す斜視図。
【図１１】図１０（ｂ）の多用途シートを更に丸めて円筒状にした様子を示す斜視図。
【図１２】本発明の空気充填式多用途シートであって、空気充填時に開口部が開口したままである実施形態を示す斜視図。
【図１３】（ａ）〜（ｅ）は本発明の多用途シートを衣類として使用する例を示す説明図、（ｆ）は本発明の多用途シートを遊具として使用する例を示す説明図。
【符号の説明】
【００２６】
１  多用途シート
２  シート
３  開口部
４  連結具
５  形状保持具
６  気体充填空間
７  閉塞材
８  カーテンフック
９  カーテンフック取付けシート
１０  ヒンジ
１１  内層
１２  外層
１３  空洞部
【図１】
2008237715.tif 000003
【図２】
2008237715.tif 000004
【図３】
2008237715.tif 000005
【図４】
2008237715.tif 000006
【図５】
2008237715.tif 000007
【図６】
2008237715.tif 000008
【図７】
2008237715.tif 000009
【図８】
2008237715.tif 000010
【図９】
2008237715.tif 000011
【図１０】
2008237715.tif 000012
【図１１】
2008237715.tif 000013
【図１２】
2008237715.tif 000014
【図１３】
2008237715.tif 000015